(57)【要約】【課題】継続サービスを要求する際の遊技客側の負担を大幅に軽減する。【解決手段】継続サービス操作検出後、携帯電話機２のかざし操作に応じて取得した携帯電話機２のＩＤｍや暗証番号に基づき、本装置に対する携帯電話機２の利用を許可して、継続サービスを実行するサービス実行部５７を有する玉貸出機３であって、携帯電話機２の利用を許可して、継続サービス操作に応じた継続サービスを実行すると、サービス実行時のＩＤｍ及びサービス実行時の継続サービスを直前状態情報として直前状態情報記憶部３１に記憶する記憶制御部５９と、直前状態情報の記憶中に、携帯電話機２のかざし操作に応じて現在ＩＤｍを取得すると、現在ＩＤｍが直前状態情報内のＩＤｍと合致しているか否かを判定する直前ＩＤｍ判定部６３とを有し、サービス実行部５７は、直前ＩＤｍ判定部６３にてＩＤｍが合致した場合、記憶中の直前状態情報内の継続サービスを実行する。【選択図】図５
2010207538.tif 000002
【特許請求の範囲】
【請求項１】
遊技台に使用する遊技媒体を貸し出す貸出サービスを含む継続サービスの実行指示操作を検出する指示検出部と、携帯媒体の所定操作に応じて前記携帯媒体の識別情報を取得する識別情報取得部と、前記指示検出部にて指示された継続サービスに関わる動作を実行するサービス実行部とを有する遊技媒体貸出装置であって、
前記識別情報取得部による前記識別情報の取得に伴って、前記実行指示操作に基づいた前記継続サービスに関わる動作を実行すると、サービス実行時の携帯媒体の識別情報及びサービス実行時の継続サービスを直前状態情報として直前状態情報記憶部に記憶する記憶制御部と、
前記直前状態情報の記憶中に、前記携帯媒体の所定操作に応じて前記携帯媒体の識別情報を取得すると、前記識別情報が前記直前状態情報内の識別情報と合致しているか否かを判定する直前識別情報判定部とを有し、
前記サービス実行部は、
前記直前識別情報判定部にて前記識別情報が合致した場合、前記直前状態情報記憶部に記憶中の前記直前状態情報内の前記継続サービスに関わる動作を実行することを特徴とする遊技媒体貸出装置。
【請求項２】
前記貸出サービス及び、貯蓄中の遊技媒体を引き出す再プレイサービスを含む前記継続サービスを有する複数のサービスを管理するサービス管理部と、
前記識別情報取得部による前記識別情報の取得に伴って、前記サービス実行部を通じて、前記サービス毎のサービス操作に応じたサービスに関わる動作を実行すると、この実行サービスが前記継続サービスであるか否かを判定する継続サービス判定部とを有し、
前記記憶制御部は、
前記継続サービス判定部にて前記実行サービスが前記継続サービスの場合、サービス実行時の携帯媒体の識別情報及びサービス実行時の継続サービスを直前状態情報として前記直前状態情報記憶部に記憶すると共に、前記継続サービス判定部にて前記実行サービスが前記継続サービスでない場合、前記直前状態情報記憶部に記憶中の前記直前状態情報を消去することを特徴とする請求項１記載の遊技媒体貸出装置。
【請求項３】
前記サービス実行部は、
前記直前識別情報判定部にて前記識別情報が合致した場合、前記直前状態情報記憶部に記憶中の前記直前状態情報内の前記継続サービスに関わる動作を実行すると共に、前記直前識別情報判定部にて前記識別情報が合致しなかった場合、前記直前状態情報記憶部に記憶中の前記直前状態情報の前記継続サービスに関わる動作を禁止することを特徴とする請求項１又は２記載の遊技媒体貸出装置。
【請求項４】
前記記憶制御部は、
前記直前状態情報記憶部に前記直前状態情報として前記再プレイサービスを記憶中に、前記直前識別情報判定部にて前記識別情報が合致したとしても、現在貯蓄遊技媒体数が再プレイ可能数未満の場合、前記直前状態情報記憶部に記憶中の前記直前状態情報を消去することを特徴とする請求項１〜３の何れか一に記載の遊技媒体貸出装置。
【請求項５】
前記記憶制御部は、
前記直前状態情報記憶部に前記直前状態情報として前記貸出サービスを記憶中に、前記直前識別情報判定部にて前記識別情報が合致したとしても、現在保有残額が遊技媒体貸出額未満の場合、前記直前状態情報記憶部に記憶中の前記直前状態情報を消去することを特徴とする請求項２又は３記載の遊技媒体貸出装置。
【請求項６】
前記記憶制御部は、
前記直前状態情報記憶部に前記直前状態情報として前記貸出サービス又は前記再プレイサービスを記憶中に、現在サービスに関わる遊技中を示す遊技中信号の信号断を検出した場合、前記直前状態情報記憶部に記憶中の前記直前状態情報を消去することを特徴とする請求項２又は３記載の遊技媒体貸出装置。
【請求項７】
前記記憶制御部は、
前記直前状態情報記憶部に前記直前状態情報として前記継続サービスを記憶中に、前記継続サービス実行後、所定時間経過した場合、前記直前状態情報記憶部に記憶中の前記直前状態情報を消去することを特徴とする請求項１〜３の何れか一に記載の遊技媒体貸出装置。
【請求項８】
前記携帯媒体は、複数のサービスの内、特定サービスを享受可能な携帯媒体と、前記特定サービスを享受不可の携帯媒体とを有し、
前記サービス実行部は、
前記識別情報取得部による前記特定サービスを享受不可の携帯媒体の識別情報の取得に伴って、前記特定サービスを要求する操作を検出したとしても、前記特定サービスの要求操作を無効にすることを特徴とする請求項２又は３記載の遊技媒体貸出装置。
【請求項９】
前記遊技媒体貸出装置は、
少なくとも、前記遊技媒体を貸し出す遊技媒体貸出部を内蔵する第１ユニットと、
少なくとも、前記識別情報取得部、前記記憶制御部及び前記直前識別情報判定部を内蔵する第２ユニットと
を含むことを特徴とする請求項１〜８の何れか一に記載の遊技媒体貸出装置。
【請求項１０】
遊技台に使用する遊技媒体を貸し出す貸出サービスを含む継続サービスの実行指示操作を検出する指示検出部と、携帯媒体の所定操作に応じて前記携帯媒体の識別情報を取得する識別情報取得部と、前記指示検出部にて指示された継続サービスに関わる動作を実行するサービス実行部とを有する遊技媒体貸出システムであって、
前記識別情報取得部による前記識別情報の取得に伴って、前記実行指示操作に基づいた前記継続サービスに関わる動作を実行すると、サービス実行時の携帯媒体の識別情報及びサービス実行時の継続サービスを直前状態情報として直前状態情報記憶部に記憶する記憶制御部と、
前記直前状態情報の記憶中に、前記携帯媒体の所定操作に応じて前記携帯媒体の識別情報を取得すると、前記識別情報が前記直前状態情報内の識別情報と合致しているか否かを判定する直前識別情報判定部とを有し、
前記サービス実行部は、
前記直前識別情報判定部にて前記識別情報が合致した場合、前記直前状態情報記憶部に記憶中の前記直前状態情報内の前記継続サービスに関わる動作を実行することを特徴とする遊技媒体貸出システム。
【発明の詳細な説明】
【技術分野】
【０００１】
本発明は、遊技店内の遊技台に併設し、遊技台で使用する遊技媒体を貸し出す遊技媒体貸出装置及び遊技媒体貸出システムに関する。
【背景技術】
【０００２】
近年、遊技店内の遊技媒体貸出装置、例えば玉貸出機では、プリペイドカードを使用しての玉貸出は勿論のこと、電子マネーを使用しての玉貸出を行うシステムが知られている（例えば、特許文献１参照）。
【０００３】
特許文献１では、電子マネーを使用しての玉貸出を実行し、遊技客に対してキャッシュレスで各種遊技を提供している。
【０００４】
また、従来、遊技店では、店内の遊技台で獲得した持玉を貯玉として遊技店に預けることができる貯玉管理システムが知られている。
【０００５】
このような貯玉管理システムとして本出願人は、遊技客の個人情報を用いて遊技店に登録された会員と、遊技客の携帯電話機を用いて遊技店に仮登録された仮会員との貯玉情報を管理し、各会員及び各仮会員に対して貯玉情報を利用した再プレイサービスを提供する携帯貯玉システムを提案している（例えば、特許文献２参照）。
【０００６】
特許文献２では、会員カードが発行されていない遊技客であっても、玉計数機の携帯用リーダライタ部に遊技客の携帯電話機をかざし操作することで、携帯電話機内部のＩＣチップの製造番号（以下、単にＩＤｍと称する）に対応付けて遊技客を仮会員登録し、遊技客は遊技店内のカウンタに赴かなくても、その持玉を貯玉することができる。
【０００７】
さらに、特許文献２では、再プレイ機の携帯用リーダライタ部に遊技客の携帯電話機をかざし操作することで、貯玉残高から持玉を引き出して再プレイを行うことができる。
【０００８】
さらに、特許文献２では、遊技台間に併設した玉貸出機の携帯用リーダライタ部に遊技客の携帯電話機をかざし操作することで、貯玉残高から持玉を引き出して再プレイを行うこともできる。
【０００９】
特許文献２の玉貸出機では、会員を識別する会員ＩＤ毎に携帯電話機のＩＤｍ及び貯玉残高を管理装置側で管理し、再プレイのボタン操作検出後、玉貸出機の携帯用リーダライタ部への携帯電話機のかざし操作で携帯電話機のＩＤｍを取得し、このＩＤｍと管理中の会員ＩＤｍとを照合すると共に、玉貸出機のテンキー部を通じて暗証番号を入力し、この暗証番号と予め登録した会員暗証番号とを照合することで、これらＩＤｍ同士及び暗証番号同士が合致した場合にのみ、会員である自分の貯玉残高から持玉を引き出すことができる。
【００１０】
【特許文献１】特開２００３−１５４１５０号公報（要約書及び図１参照）
【特許文献２】特開２００８−２１２４０９号公報（段落番号「００６７」〜「００７０」及び図６参照）
【発明の開示】
【発明が解決しようとする課題】
【００１１】
しかしながら、上記従来の遊技媒体貸出装置では、例えば、遊技客が再プレイサービスを要求する場合、再プレイサービスのボタン操作＋携帯電話機のかざし操作＋暗証番号の入力操作の三種類の操作を経て再プレイサービスを実行することになるが、遊技客側で、再プレイサービスを要求する度に、その都度、三種類の操作を行わなければならず、遊技客側の操作負担が大きい。
【００１２】
しかも、上記従来の遊技媒体貸出装置では、再プレイサービスを要求する度に、その都度、暗証番号を入力する必要があるため、セキュリティ性の確保が求められているのが実情である。
【００１３】
また、上記従来の遊技媒体貸出装置では、再プレイサービスの他に、遊技台で使用する遊技玉を貸し出す玉貸出サービスや、例えば、携帯電話機の通信機能を利用して特定サイトに自動アクセスして最新情報の提供を受ける情報提供サービス等の複数サービスがあるため、これら複数のサービスの内、任意のサービスを要求する場合、遊技客に複雑な操作を要し、遊技客側の操作負担が大きい。
【００１４】
本発明は上記点に鑑みてなされたものであり、その第１の目的とするところは、セキュリティ確保を図りながら、同一の継続サービスを継続的に要求する際の遊技客側の操作負担を大幅に軽減することができる遊技媒体貸出装置及び遊技媒体貸出システムを提供することにある。
【００１５】
また、本発明は上記点に鑑みてなされたものであり、その第２の目的とするところは、複数のサービスの内、任意のサービスを選択要求する際の遊技客側の操作負担を大幅に軽減することができる遊技媒体貸出装置を提供することにある。
【課題を解決するための手段】
【００１６】
上記第１の目的を達成するために本発明の遊技媒体貸出装置は、遊技台に使用する遊技媒体を貸し出す貸出サービスを含む継続サービスの実行指示操作を検出する指示検出部と、携帯媒体の所定操作に応じて前記携帯媒体の識別情報を取得する識別情報取得部と、前記指示検出部にて指示された継続サービスに関わる動作を実行するサービス実行部とを有する遊技媒体貸出装置であって、前記識別情報取得部による前記識別情報の取得に伴って、前記実行指示操作に基づいた前記継続サービスに関わる動作を実行すると、サービス実行時の携帯媒体の識別情報及びサービス実行時の継続サービスを直前状態情報として直前状態情報記憶部に記憶する記憶制御部と、前記直前状態情報の記憶中に、前記携帯媒体の所定操作に応じて前記携帯媒体の識別情報を取得すると、前記識別情報が前記直前状態情報内の識別情報と合致しているか否かを判定する直前識別情報判定部とを有し、前記サービス実行部は、前記直前識別情報判定部にて前記識別情報が合致した場合、前記直前状態情報記憶部に記憶中の前記直前状態情報内の前記継続サービスに関わる動作を実行することを要件とする。
【００１７】
また、上記第２の目的を達成するために本発明の遊技媒体貸出装置は、上記発明の構成において、前記貸出サービス及び、貯蓄中の遊技媒体を引き出す再プレイサービスを含む前記継続サービスを有する複数のサービスを管理するサービス管理部と、前記識別情報取得部による前記識別情報の取得に伴って、前記サービス実行部を通じて、前記サービス毎のサービス操作に応じたサービスに関わる動作を実行すると、この実行サービスが前記継続サービスであるか否かを判定する継続サービス判定部とを有し、前記記憶制御部は、前記継続サービス判定部にて前記実行サービスが前記継続サービスの場合、サービス実行時の携帯媒体の識別情報及びサービス実行時の継続サービスを直前状態情報として前記直前状態情報記憶部に記憶すると共に、前記継続サービス判定部にて前記実行サービスが前記継続サービスでない場合、前記直前状態情報記憶部に記憶中の前記直前状態情報を消去することを要件とする。
【００１８】
また、本発明の遊技媒体貸出装置は、上記発明の構成において、前記サービス実行部は、前記直前識別情報判定部にて前記識別情報が合致した場合、前記直前状態情報記憶部に記憶中の前記直前状態情報内の前記継続サービスに関わる動作を実行すると共に、前記直前識別情報判定部にて前記識別情報が合致しなかった場合、前記直前状態情報記憶部に記憶中の前記直前状態情報の前記継続サービスに関わる動作を禁止することを要件とする。
【００１９】
また、本発明の遊技媒体貸出装置は、上記発明の構成において、前記記憶制御部は、前記直前状態情報記憶部に前記直前状態情報として前記再プレイサービスを記憶中に、前記直前識別情報判定部にて前記識別情報が合致したとしても、現在貯蓄遊技媒体数が再プレイ可能数未満の場合、前記直前状態情報記憶部に記憶中の前記直前状態情報を消去することを要件とする。
【００２０】
また、本発明の遊技媒体貸出装置は、上記発明の構成において、前記記憶制御部は、前記直前状態情報記憶部に前記直前状態情報として前記貸出サービスを記憶中に、前記直前識別情報判定部にて前記識別情報が合致したとしても、現在保有残額が遊技媒体貸出額未満の場合、前記直前状態情報記憶部に記憶中の前記直前状態情報を消去することを要件とする。
【００２１】
また、本発明の遊技媒体貸出装置は、上記発明の構成において、前記記憶制御部は、前記直前状態情報記憶部に前記直前状態情報として前記貸出サービス又は前記再プレイサービスを記憶中に、現在サービスに関わる遊技中を示す遊技中信号の信号断を検出した場合、前記直前状態情報記憶部に記憶中の前記直前状態情報を消去することを要件とする。
【００２２】
また、本発明の遊技媒体貸出装置は、上記発明の構成において、前記記憶制御部は、前記直前状態情報記憶部に前記直前状態情報として前記継続サービスを記憶中に、前記継続サービス実行後、所定時間経過した場合、前記直前状態情報記憶部に記憶中の前記直前状態情報を消去することを要件とする。
【００２３】
また、本発明の遊技媒体貸出装置は、上記発明の構成において、前記携帯媒体は、複数のサービスの内、特定サービスを享受可能な携帯媒体と、前記特定サービスを享受不可の携帯媒体とを有し、前記サービス実行部は、前記識別情報取得部による前記特定サービスを享受不可の携帯媒体の識別情報の取得に伴って、前記特定サービスを要求する操作を検出したとしても、前記特定サービスの要求操作を無効にすることを要件とする。
【００２４】
また、本発明の遊技媒体貸出装置は、上記発明の構成において、前記遊技媒体貸出装置は、少なくとも、前記遊技媒体を貸し出す遊技媒体貸出部を内蔵する第１ユニットと、少なくとも、前記識別情報取得部、前記記憶制御部及び前記直前識別情報判定部を内蔵する第２ユニットとを含むことを要件とする。
【００２５】
また、上記第１の目的を達成するために本発明の遊技媒体貸出システムは、遊技台に使用する遊技媒体を貸し出す貸出サービスを含む継続サービスの実行指示操作を検出する指示検出部と、携帯媒体の所定操作に応じて前記携帯媒体の識別情報を取得する識別情報取得部と、前記指示検出部にて指示された継続サービスに関わる動作を実行するサービス実行部とを有する遊技媒体貸出システムであって、前記識別情報取得部による前記識別情報の取得に伴って、前記実行指示操作に基づいた前記継続サービスに関わる動作を実行すると、サービス実行時の携帯媒体の識別情報及びサービス実行時の継続サービスを直前状態情報として直前状態情報記憶部に記憶する記憶制御部と、前記直前状態情報の記憶中に、前記携帯媒体の所定操作に応じて前記携帯媒体の識別情報を取得すると、前記識別情報が前記直前状態情報内の識別情報と合致しているか否かを判定する直前識別情報判定部とを有し、前記サービス実行部は、前記直前識別情報判定部にて前記識別情報が合致した場合、前記直前状態情報記憶部に記憶中の前記直前状態情報内の前記継続サービスに関わる動作を実行することを要件とする。
【発明の効果】
【００２６】
上記のように構成された本発明の遊技媒体貸出装置では、継続サービスの実行指示操作検出後、識別情報取得部による識別情報の取得に伴って、実行指示操作に基づいた継続サービスに関わる動作を実行すると、サービス実行時の携帯媒体の識別情報及びサービス実行時の継続サービスを直前状態情報として直前状態情報記憶部に記憶しておき、その直前状態情報の記憶中に、前記携帯媒体の所定操作に応じて前記携帯媒体の識別情報を取得し、この識別情報が前記直前状態情報内の識別情報と合致した場合、前記直前状態情報記憶部に記憶中の前記直前状態情報内の前記継続サービスに関わる動作を実行する。その結果、遊技媒体貸出装置では、最初の継続サービスを要求する際、サービス選択操作＋携帯媒体の所定操作の合計２種類の操作を要することになるが、継続して同一継続サービスを要求する際は、サービス選択操作を要することなく、携帯媒体の所定操作だけで同一継続サービスを継続的に要求できるため、同一継続サービスを継続的に要求する際の遊技客側の操作負担を大幅に軽減できるという効果を奏する。
【００２７】
また、本発明の遊技媒体貸出装置では、同一継続サービスを要求する度に、携帯媒体の所定操作で取得した識別情報と直前状態情報記憶部に記憶中の直前の識別情報とが合致しているか否かを判定し、識別情報が合致している場合にしか、同一継続サービスを実行しないため、携帯媒体の識別情報で正当な遊技客を特定することで、第三者による継続サービスの不正要求を確実に防止し、セキュリティの確保を図るという効果を奏する。
【００２８】
また、本発明の遊技媒体貸出装置では、上記発明の効果に加えて、識別情報取得部による識別情報の取得に伴って、複数のサービスの内、サービス操作に応じて任意のサービスを選択することになるため、遊技客は、煩雑な操作を要することなく、複数のサービスから任意のサービスを選択するという効果を奏する。
【００２９】
また、本発明の遊技媒体貸出装置では、上記発明の効果に加えて、複数サービスの内、実行サービスが継続サービスの場合、サービス実行時の携帯媒体の識別情報及びサービス実行時の継続サービスを直前状態情報として直前状態情報記憶部に記憶すると共に、実行サービスが継続サービスでない場合、直前状態情報記憶部に記憶中の直前状態情報を消去する。その結果、遊技媒体貸出装置では、同一の継続サービスを継続的に要求する場合、サービス選択操作を要することなく、携帯媒体の所定操作だけで同一継続サービスを継続的に要求できるため、同一継続サービスを継続的に要求する際の遊技客側の操作負担を大幅に軽減できるという効果を奏する。
【００３０】
また、本発明の遊技媒体貸出装置では、上記発明の効果に加えて、直前識別情報判定部にて識別情報が合致した場合、直前状態情報記憶部に記憶中の前記直前状態情報内の継続サービスに関わる動作を実行すると共に、前記直前識別情報判定部にて前記識別情報が合致しなかった場合、前記直前状態情報記憶部に記憶中の前記直前状態情報の前記継続サービスに関わる動作を禁止する。その結果、遊技媒体貸出装置は、携帯媒体の識別情報で遊技客を特定することで、第三者による継続サービスの不正要求を確実に防止し、セキュリティの確保を図るという効果を奏する。
【００３１】
また、本発明の遊技媒体貸出装置では、上記発明の効果に加えて、前記直前状態情報として前記再プレイサービスを記憶中に、前記直前識別情報判定部にて前記識別情報が合致したとしても、現在貯蓄遊技媒体数が再プレイ可能数未満の場合、前記直前状態情報記憶部に記憶中の前記直前状態情報を消去する。その結果、遊技媒体貸出装置では、正当な遊技客による再プレイサービスの継続要求であったとしても、現在貯蓄遊技媒体数が再プレイ可能数を満たない場合、継続できない再プレイサービスの継続実行を打ち切るという効果を奏する。
【００３２】
また、本発明の遊技媒体貸出装置では、上記発明の効果に加えて、前記直前状態情報として前記貸出サービスを記憶中に、前記直前識別情報判定部にて前記識別情報が合致したとしても、現在保有残額が遊技媒体貸出額未満の場合、前記直前状態情報記憶部に記憶中の前記直前状態情報を消去する。その結果、遊技媒体貸出装置では、正当な遊技客による貸出サービスの継続要求であったとしても、現在保有残額が遊技媒体貸出額未満の場合、継続できない貸出サービスの継続実行を打ち切るという効果を奏する。
【００３３】
また、本発明の遊技媒体貸出装置では、上記発明の効果に加えて、前記直前状態情報として前記貸出サービス又は前記再プレイサービスを記憶中に、現在サービスに関わる遊技中を示す遊技中信号の信号断を検出した場合、前記直前状態情報記憶部に記憶中の前記直前状態情報を消去する。その結果、遊技媒体貸出装置では、正当な遊技客による貸出サービス又は再プレイサービスの継続要求であったとしても、遊技中信号の信号断を検出した場合、遊技客が遊技中でないものと判断し、その継続実行を打ち切るという効果を奏する。
【００３４】
また、本発明の遊技媒体貸出装置では、上記発明の効果に加えて、前記直前状態情報として前記継続サービスを記憶中に、サービス実行後、所定時間経過した場合、前記直前状態情報記憶部に記憶中の前記直前状態情報を消去する。その結果、遊技媒体貸出装置では、正当な遊技客による継続サービスの継続中でも、客観的に継続サービスを利用しないと判断し得るだけの所定時間を経過した場合、その継続実行を打ち切るという効果を奏する。
【００３５】
また、本発明の遊技媒体貸出装置では、上記発明の効果に加えて、前記特定サービスを享受不可の携帯媒体の識別情報の取得に伴って、前記特定サービスを要求する操作を検出したとしても、前記特定サービスの要求操作を無効にする。その結果、遊技客は、特定サービスを享受不可の携帯媒体を使用した場合、特定サービスを要求するサービス要求操作を無効にすることで無駄な操作要求を回避できるという効果を奏する。
【００３６】
また、本発明の遊技媒体貸出装置では、上記発明の効果に加えて、既存の第１ユニットを置き換えることなく、この第１ユニットに、識別情報取得部、記憶制御部及び直前識別情報判定部を内蔵した第２ユニットを増設するダブルサンド方式であっても、継続して同一継続サービスを要求する際は、サービス選択操作を要することなく、携帯媒体の所定操作だけで同一継続サービスを継続的に要求できるため、同一継続サービスを継続的に要求する際の遊技客側の操作負担を大幅に軽減できるという効果を奏する。
【００３７】
また、本発明の遊技媒体貸出システムでは、継続サービスの実行指示操作検出後、携帯媒体の所定操作に応じた識別情報の取得に伴って、実行指示操作に基づいた継続サービスに関わる動作を実行すると、サービス実行時の携帯媒体の識別情報及びサービス実行時の継続サービスを直前状態情報として直前状態情報記憶部に記憶しておき、その直前状態情報の記憶中に、前記携帯媒体の所定操作に応じて前記携帯媒体の識別情報を取得し、この識別情報が前記直前状態情報内の識別情報と合致した場合、前記直前状態情報記憶部に記憶中の前記直前状態情報内の前記継続サービスに関わる動作を実行する。その結果、遊技媒体貸出システムでは、最初の継続サービスを要求する際、サービス選択操作＋携帯媒体の所定操作の合計２種類の操作を要することになるが、継続して同一継続サービスを要求する際は、サービス選択操作を要することなく、携帯媒体の所定操作だけで同一継続サービスを継続的に要求できるため、同一継続サービスを継続的に要求する際の遊技客側の操作負担を大幅に軽減できるという効果を奏する。
【発明を実施するための最良の形態】
【００３８】
以下、図面に基づき本発明の遊技媒体貸出装置及び遊技媒体貸出システムに関わる実施例について詳細に説明する。
【００３９】
まず、最初に本実施例の概要を説明するとすれば、その概要は、例えば、再プレイサービス等の継続サービス操作検出後、携帯電話機のかざし操作に応じて携帯電話機のＩＤｍを取得し、更に、暗証番号入力操作に応じて暗証番号を取得し、これらＩＤｍ及び暗証番号の照合結果に基づき、本装置に対する携帯電話機の利用を許可して、サービス選択操作に応じた再プレイサービス等の継続サービスを実行する玉貸機に関し、携帯電話機の利用を許可した後、継続サービス操作に応じた継続サービスに関わる動作を実行すると、サービス実行時の携帯電話機のＩＤｍ及びサービス実行時の継続サービスを直前状態情報として直前状態情報記憶部に記憶し、直前状態情報の記憶中に、携帯電話機のかざし操作に応じて携帯電話機のＩＤｍを取得すると、このＩＤｍが直前状態情報内のＩＤｍと合致した場合、直前状態情報記憶部に記憶中の直前状態情報内の継続サービスに関わる動作を実行する。
【００４０】
その結果、玉貸出機では、最初の継続サービスを要求する際、サービス選択操作＋携帯電話機のかざし操作＋暗号番号入力操作の計３種類の操作を要することになるが、継続して同一継続サービスを要求する際は、暗証番号入力操作及びサービス選択操作を要することなく、携帯電話機のかざし操作だけで同一継続サービスを継続的に要求することができるため、同一継続サービスを継続的に要求する際の遊技客側の操作負担を大幅に軽減できるというものである。
【実施例１】
【００４１】
図１は、本発明の遊技媒体貸出装置及び遊技媒体貸出システムに関わる実施例１の遊技台管理システム全体の概略構成を示すブロック図である。
【００４２】
図１に示す遊技台管理システム１は、複数の遊技台１１０と、遊技台１１０毎に設け、入金操作、カードの挿入操作や携帯電話機２のかざし操作に応じて遊技玉を貸し出す玉貸機能や、貯玉残高から持玉を再度貸し出す再プレイ機能や、獲得した玉を計数する各台計数機能を有する玉貸出機３と、遊技台１１０及び玉貸出機３を配置した遊技島毎の中継機能を司る島コントローラ１２０と、景品交換処理や景品の在庫管理を行う景品管理機１３０と、特殊景品を払い出す景品払出機１４０と、携帯電話機２等を使用しての会員登録やオペレータ操作で貯玉登録するカード処理機１５０と、会員カードや一般カード等の現在プリペイド残高を精算するカード精算機１６０と、この遊技台管理システム１全体を管理制御する管理装置４とを有している。
【００４３】
また、遊技台管理システム１は、島コントローラ１２０、景品管理機１３０、カード処理機１５０、カード精算機１６０及び管理装置４間をＬＡＮ接続し、これら島コントローラ１２０、景品管理機１３０、カード処理機１５０、カード精算機１６０及び管理装置４間のデータ通信を実現している。
【００４４】
景品管理機１３０は、遊技店内の景品交換カウンタに配置した景品交換用の端末装置である。具体的には、景品交換カウンタ内のオペレータが、図示せぬ玉計数機から印字出力された獲得玉数の計数レシートや各台計数機能付きの玉貸出機３から発行される計数カード（以下、計数レシート等と表現する）を遊技客から受け取ると、この計数レシート等から獲得玉数を読み取ると共に、この獲得玉数分の一般景品をオペレータによる手作業で遊技客に受け渡すものである。また、遊技客が特殊景品への交換を希望する場合、オペレータは、景品管理機１３０に設けた特殊景品交換ボタンを押下し、景品払出機１４０に獲得玉数分の特殊景品の払い出しを指示するものである。 
【００４５】
また、この景品管理機１３０では、計数レシート等から読み取った獲得玉数の一部又は全部を会員又は仮会員の貯玉残高に預け入れることもできる。例えば、オペレータが貯玉を希望する会員から会員カードを受け取った場合、この会員カードを景品管理機１３０のカードリーダに挿入して会員ＩＤを読み取った後、貯玉操作を行って管理装置４に貯玉指示を行うものである。また、オペレータが貯玉を希望する会員又は仮会員から計数レシート等を受け取った場合、該会員又は仮会員に対して携帯電話機２をかざすよう指示して、該携帯電話機２から会員ＩＤを読み取った後、貯玉操作を行って管理装置４に貯玉指示を行うものである。
【００４６】
カード処理機１５０は、携帯電話機２を用いた仮会員登録や、登録済み会員及び仮会員による貯玉を行う際に利用される会員用端末装置に相当し、会員カードに記録した会員ＩＤを読み取るカードリーダ部と、携帯電話機２から会員ＩＤ（正確にはＩＤｍ）を読み取る携帯用リーダライタ部とを有している。
【００４７】
図２は、管理装置４内部の概略構成を示すブロック図である。
【００４８】
管理装置４は、ＬＡＮと通信接続する管理装置側通信インタフェース１１と、例えば、キーボードやマウス等の入力デバイスに相当し、各種情報を入力する入力部１２と、例えば、液晶パネルやディスプレイ等の表示デバイスに相当し、各種情報を出力する出力部１３と、例えば、ハードディスクや不揮発性メモリ等の記憶デバイスに相当し、各種情報を記憶管理する記憶管理部１４と、管理装置４全体を制御する管理装置側制御部１５とを有している。
【００４９】
記憶管理部１４は、会員申込用紙への記入を通じて一定の個人情報が登録された会員や、携帯電話機２を通じてＩＤｍ及び属性情報のみが登録された仮会員を記憶管理する会員管理データベース（以下、単にＤＢと称する）１６と、会員カードや計数カード（一般カード）等のカードに関わる各種情報を記憶管理するカード管理ＤＢ１７とを有している。
【００５０】
カード管理ＤＢ１７は、カードを識別するカードＩＤ毎に、現在プリペイド残額を管理するプリペイド残高ＤＢ１７Ａと、カードＩＤ毎に、遊技客が獲得した持玉を遊技店に預けた玉数を示す貯玉数（貯玉残高）を管理する貯玉ＤＢ１７Ｂと、カードＩＤ毎に、遊技客が獲得した持玉数を管理する持玉ＤＢ１７Ｃとを有し、カードＩＤ毎に、現在プリペイド残高、現在貯玉数及び現在持玉数を集中管理している。
【００５１】
図３は、実施例１の管理装置４内部の会員管理ＤＢ１６のデータ内容を端的に示す説明図である。
【００５２】
図３に示す会員管理ＤＢ１６は、会員ＩＤ１６Ａ毎に会員種別１６Ｂ、貯玉残高１６Ｃ、プリペイド価値１６Ｇ、属性情報１６Ｄ、会員保有の携帯電話機２のＩＤｍ１６Ｅ及び会員識別の暗証番号１６Ｆを記憶したデータベースに相当するものである。尚、属性情報１６Ｄには、電話番号、生年月日やフリーキーワード等が含まれるものである。ここで、会員種別１６Ｂを記憶した理由は、仮会員と本会員とを区別するものである。 
【００５３】
図２に示す管理装置４では、会員管理ＤＢ１６で会員ＩＤ１６Ａ毎に会員種別１６Ｂ、貯玉残高１６Ｃ、プリペイド価値１６Ｇ、属性情報１６Ｄ、ＩＤｍ１６Ｅ及び暗証番号１６Ｆを集中管理している。
【００５４】
管理装置４内の管理装置側制御部１５は、会員管理ＤＢ１６内の貯玉残高１６Ｃを管理する貯玉管理部１５Ａと、携帯電話機２を使用した仮会員登録を要求する仮会員登録処理部１５Ｂと、カード管理ＤＢ１７を管理するカード管理部１５Ｃとを有している。
【００５５】
貯玉管理部１５Ａは、カード処理機１５０又は景品管理機１３０から貯玉加算指示を受け付けた場合、該当する貯玉口座内の貯玉残高に加算依頼玉数を加算処理し、玉貸出機３又は景品管理機１３０から貯玉減算指示を受け付けた場合、該当する貯玉口座内の貯玉残高から減算依頼玉数を減算処理するものである。 
【００５６】
仮会員登録処理部１５Ｂは、遊技客がカード処理機１５０の携帯用リーダライタ部に対する携帯電話機２のかざし操作を検出すると、この携帯電話機２のＩＣチップ２ＡからＩＤｍを読み取り、別途入力された属性情報及び暗証番号と共に会員管理ＤＢ１６に登録することになる。
【００５７】
カード管理部１５Ｃは、カードＩＤに基づき、カード管理ＤＢ１７内のプリペイド残高ＤＢ１７Ａ、貯玉ＤＢ１７Ｂ及び持玉ＤＢ１７Ｃを紐付け管理するものである。
【００５８】
また、玉貸出機３は、カードのプリペイド残額の問合せや玉貸要求を実行すると共に、プリペイド残額が玉貸可能残額以上の場合、遊技台１１０に対して玉貸出サービスを実行するものである。
【００５９】
また、玉貸出機３は、会員の会員カード挿入操作や会員の携帯電話機２のかざし操作に応じて、会員の貯玉残高がある場合、貯玉残高から持玉を引き出す再プレイサービスを実行するものである。
【００６０】
図４は、実施例１の要部である玉貸出機３の正面図、図５は、玉貸出機３内部の概略構成を示すブロック図である。
【００６１】
図４に示す玉貸出機３は、会員カードやプリペイドカードを挿入又は返却するカード挿入口２１と、各種情報や暗証番号を入力するテンキー部２２と、各種情報を表示すると共に、各種サービスを要求するための操作ボタン２３を画面表示するタッチパネル部２４と、携帯電話機２内部のＩＣチップ２Ａとのデータ通信を実行する携帯用リーダライタ部２５とを有している。
【００６２】
携帯用リーダライタ部２５は、携帯電話機２内部のＩＣチップ２Ａに組み込まれたアンテナコイルに弱電波を送信し、この弱電波でＩＣチップ２Ａ側のアンテナコイルが発電してＩＣチップ２Ａとのデータ通信が可能となる。その結果、携帯用リーダライタ部２５は、携帯電話機２からＩＤｍを取得することになる。
【００６３】
図５に示す玉貸出機３は、テンキー部２２、携帯用リーダライタ部２５及びタッチパネル部２４の他に、併設する遊技台１１０とのインタフェースを司る遊技台インタフェース２６と、ＬＡＮとの通信を司る通信インタフェース２７と、例えば、カード挿入口２１から挿入したカードの情報を読み取るカードリーダ部２８と、カード挿入口２１からカードを返却するカード返却部２９と、各種サービス内容を管理するサービス管理部３０と、後述する直前状態情報を記憶する直前状態情報記憶部３１と、玉貸出機３全体を制御する制御部３２とを有している。
【００６４】
サービス管理部３０は、遊技中に継続的に要求される可能性の高い、例えば、玉貸出サービス４１Ａや再プレイサービス４１Ｂ等の継続サービス４１と、単発的に要求される可能性の高い、例えば、情報提供サービス４２Ａ等の単発サービス４２とを管理している。
【００６５】
制御部３２は、携帯用リーダライタ部２５を通じて携帯電話機２のかざし操作に応じて同携帯電話機２内部のＩＣチップ２Ａに対応するＩＤｍを取得するＩＤｍ取得部５１と、テンキー部２２を通じて入力した暗証番号を取得する暗証番号取得部５２と、タッチパネル部２４上の操作ボタン２３の入力操作を検出する操作検出部５３とを有している。
【００６６】
尚、タッチパネル部２４は、例えば、玉貸出サービスを要求する玉貸ボタン、再プレイサービスを要求する再プレイボタン、特定サイトへの情報提供を要求する情報提供ボタン等、サービスに応じた操作ボタン２３を画面表示するものである。
【００６７】
また、制御部３２は、ＩＤｍ取得部５１にて取得した現在のＩＤｍに対応する会員ＩＤｍがあるか否かを判定する会員ＩＤｍ判定部５４と、現在ＩＤｍに対応する会員ＩＤｍがある場合で、しかも、暗証番号の照合が必要なサービスの場合、暗証番号取得部５２にて取得した暗証番号が会員ＩＤｍ対応の会員暗証番号に合致しているか否かを判定する会員暗証番号判定部５５と、会員ＩＤｍ判定部５４の判定結果又は、その判定結果及び会員暗証番号判定部５５の判定結果に基づき、玉貸出機３の各種サービスに対する携帯電話機２の利用を許可する利用許可判定部５６とを有している。
【００６８】
会員ＩＤｍ判定部５４は、現在ＩＤｍが会員管理ＤＢ１６内の会員ＩＤｍ内にあるか否かをＬＡＮ経由で管理装置４に問合せ、その問合せ結果に基づき、現在ＩＤｍに対応する会員ＩＤｍがあるか否かを判定するものである。
【００６９】
また、会員暗証番号判定部５５は、現在ＩＤｍに対応する会員ＩＤｍがある場合で、しかも、暗証番号の照合が必要なサービスが選択されている場合、暗証番号取得部５２にて取得した現在暗証番号が現在の会員ＩＤｍに対応した会員管理ＤＢ１６内の会員暗証番号に合致しているか否かをＬＡＮ経由で管理装置４に問合せ、その問合せ結果に基づき、現在暗証番号が現在の会員ＩＤｍに対応する会員暗証番号に合致しているか否かを判定するものである。尚、暗証番号の照合が必要なサービスとしては、例えば、再プレイサービス等がある。
【００７０】
利用許可判定部５６は、操作ボタン２３のボタン操作に応じて暗証番号が不要のサービスが選択され、かつ、会員ＩＤｍ判定部５４にて現在ＩＤｍが会員ＩＤｍ内にある場合、玉貸出機３の同サービスに対する同会員の携帯電話機２の利用を許可するものである。
【００７１】
利用許可判定部５６は、操作ボタン２３のボタン操作に応じて暗証番号が必要なサービスが選択され、かつ、会員暗証番号判定部５５にて現在暗証番号が会員ＩＤｍに対応する会員暗証番号に合致した場合、玉貸出機３の同サービスに対する同会員の携帯電話機２の利用を許可するものである。
【００７２】
また、制御部３２は、利用許可判定部５６にて携帯電話機２の利用を許可して、操作ボタン２３のボタン操作で選択したサービスに関わるサービス動作を実行するサービス実行部５７を有している。
【００７３】
サービス実行部５７は、操作ボタン２３のボタン操作で選択したサービスをサービス管理部３０から読み出し、読み出したサービス内容に基づき、サービス動作を実行するものである。尚、サービス実行部５７は、例えば、再プレイサービスを要求する再プレイボタンのボタン操作を検出すると、その再プレイボタンのボタン操作に対応した再プレイサービス内容をサービス管理部３０から読み出し、読み出した再プレイサービス内容に基づき、同会員の貯玉残高から持玉を引き出すものである。
【００７４】
また、制御部３２は、サービス実行部５７にて実行したサービスが継続サービスであるか否かを判定する継続サービス判定部５８と、継続サービス判定部５８にて実行サービスが継続サービスの場合、継続サービス及び会員ＩＤｍを直前状態情報として直前状態情報記憶部３１に記憶する記憶制御部５９とを有している。
【００７５】
記憶制御部５９は、サービス実行部５７にて実行した実行サービスが継続サービスの場合、サービス実行時の継続サービス及び携帯電話機２の会員ＩＤｍを直前状態情報として直前状態情報記憶部３１に記憶するものである。尚、記憶制御部５９は、例えば、実行サービスが再プレイサービスの場合、再プレイサービス及び携帯電話機２の会員ＩＤｍを直前状態情報として直前状態情報記憶部３１に記憶するものである。
【００７６】
また、記憶制御部５９は、サービス実行部５７にて実行した実行サービスが継続サービスでない場合、例えば、実行サービスが単発サービスの場合、直前状態情報記憶部３１に記憶中の直前状態情報の内容を消去するものである。
【００７７】
また、制御部３２は、継続サービス判定部５８にて実行サービスが継続サービスの場合であっても、継続サービスが玉貸出サービスの場合、同会員のプリペイド残額が玉貸可能残額以上であるか否かを判定する玉貸残額判定部６０と、継続サービス判定部５８にて実行サービスが継続サービスの場合であっても、継続サービスが再プレイサービスの場合、同会員の貯玉残高があるか否かを判定する貯玉残高判定部６１と、継続サービス判定部５８にて実行サービスが玉貸出サービス又は再プレイサービスの場合であっても、遊技台１１０でアウト玉を検出中か否かを判定するアウト検出判定部６２とを有している。
【００７８】
玉貸残額判定部６０は、継続サービスが玉貸出サービスの場合、同会員のプリペイド残額が玉貸可能残額以上であるか否かをＬＡＮ経由で管理装置４側に問合せ、その問合せ結果に基づき、同会員のプリペイド残額が玉貸可能残額以上であるか否かを判定するものである。
【００７９】
貯玉残高判定部６１は、継続サービスが再プレイサービスの場合、同会員の貯玉残高があるか否かをＬＡＮ経由で管理装置４側に問合せ、その問合せ結果に基づき、同会員の貯玉残高があるか否かを判定するものである。
【００８０】
アウト検出判定部６２は、継続サービスが再プレイサービス又は玉貸出サービスの場合、遊技台１１０のアウト口に流れ込むアウト玉を検出し、ある一定時間内にアウト玉が検出できた場合、アウト検出、すなわち遊技中と判断し、一定時間内にアウト玉が検出できなかった場合、アウト未検出、すなわち遊技していないものと判断するものである。
【００８１】
また、記憶制御部５９は、サービス実行部５７にて実行した実行サービスが継続サービス、例えば、玉貸出サービスの場合であっても、玉貸残額判定部６０にて同会員のプリペイド残額が玉貸可能残額以上でない場合、直前状態情報記憶部３１に記憶中の直前状態情報の内容を消去するものである。
【００８２】
記憶制御部５９は、サービス実行部５７にて実行した実行サービスが継続サービス、例えば、再プレイサービスの場合であっても、貯玉残高判定部６１にて同会員の貯玉残高がない場合、直前状態情報記憶部３１に記憶中の直前状態情報の内容を消去するものである。
【００８３】
記憶制御部５９は、サービス実行部５７にて実行した実行サービスが玉貸出サービス又は再プレイサービスの場合であっても、アウト検出判定部６２にてアウト未検出の場合、直前状態情報記憶部３１に記憶中の直前状態情報の内容を消去するものである。
【００８４】
また、制御部３２は、サービス実行部５７の継続サービス実行後、再度、携帯電話機２のかざし操作に応じた現在ＩＤｍを取得すると、現在ＩＤｍと直前状態情報記憶部３１に記憶中の直前状態情報の直前ＩＤｍと合致しているか否かを判定する直前ＩＤｍ判定部６３を有している。
【００８５】
サービス実行部５７は、直前ＩＤｍ判定部６３にて現在ＩＤｍと直前状態情報の直前ＩＤｍとが合致した場合、同一遊技客の正当なサービス要求と判断し、直前状態情報内の継続サービスに関わるサービス動作を実行するものである。
【００８６】
また、サービス実行部５７は、直前ＩＤｍ判定部６３にて現在ＩＤｍと直前状態情報の直前ＩＤｍとが合致しなかった場合、異なる遊技客の不正なサービス要求と判断し、同サービスに関わるサービス動作を禁止するものである。更に、記憶制御部５９は、直前状態情報記憶部３１に記憶中の直前状態情報の内容を消去するものである。
【００８７】
尚、請求項記載の遊技媒体貸出装置は玉貸出機３、携帯媒体は携帯電話機２、識別情報はＩＤｍ、指示検出部は操作検出部５３、識別情報取得部は携帯用リーダライタ部２５及びＩＤｍ取得部５１、サービス実行部はサービス実行部５７、記憶制御部は記憶制御部５９、直前状態情報記憶部は直前状態情報記憶部３１、直前識別情報判定部は直前ＩＤｍ判定部６３、サービス管理部はサービス管理部３０、継続サービス判定部は継続サービス判定部５８、遊技媒体貸出システムは遊技台管理システム１に対応するものである。
【００８８】
次に、実施例１の遊技台管理システム１の動作について説明する。図６及び図７は、サービス選択実行処理に関わる玉貸出機３内部の制御部３２の処理動作を示すフローチャートである。
【００８９】
図６に示すサービス選択実行処理は、携帯電話機２のかざし操作だけで同一継続サービスを継続的に要求できる処理である。
【００９０】
図６において玉貸出機３内部の制御部３２内の操作検出部５３は、タッチパネル部２４上の各種サービスの選択操作を検出したか否かを判定する（ステップＳ１１）。
【００９１】
制御部３２は、サービスの選択操作を検出した場合（ステップＳ１１肯定）、携帯用リーダライタ部２５を通じて携帯電話機２のかざし操作を検出したか否かを判定する（ステップＳ１２）。
【００９２】
制御部３２内のＩＤｍ取得部５１は、携帯電話機２のかざし操作を検出した場合（ステップＳ１２肯定）、携帯用リーダライタ部２５を通じて携帯電話機２内のＩＣチップ２Ａに対する現在ＩＤｍを取得する（ステップＳ１３）。
【００９３】
制御部３２内の会員ＩＤｍ判定部５４は、現在ＩＤｍを取得すると、現在ＩＤｍに対応する会員ＩＤｍがあるか否かを判定する（ステップＳ１４）。尚、会員ＩＤｍ判定部５４は、ＬＡＮ経由で管理装置４に対して現在ＩＤｍに対応する会員ＩＤｍが会員管理ＤＢ１６内にあるか否かを問合せ、その問合せ結果に基づき、現在ＩＤｍに対応する会員ＩＤｍがあるか否かを判定するものである。
【００９４】
制御部３２は、現在ＩＤｍに対応する会員ＩＤｍがある場合（ステップＳ１４肯定）、ステップＳ１１にて検出した選択サービスが暗証番号の照合が必要なサービスであるか否かを判定する（ステップＳ１５）。
【００９５】
制御部３２内の暗証番号取得部５２は、選択サービスが暗証番号の照合が必要なサービスの場合（ステップＳ１５肯定）、テンキー部２２の暗証番号入力を監視する監視タイマの計時動作を開始し（ステップＳ１６）、暗証番号を検出したか否かを判定する（ステップＳ１７）。
【００９６】
制御部３２内の会員暗証番号判定部５５は、暗証番号を検出した場合（ステップＳ１７肯定）、この暗証番号が現在ＩＤｍの会員ＩＤｍに対応する会員暗証番号に合致しているか否かを判定する（ステップＳ１８）。尚、会員暗証番号判定部５５は、ＬＡＮ経由で管理装置４に対して、暗証番号が会員管理ＤＢ１６内の会員ＩＤｍ１６Ｅに対応する会員暗証番号１６Ｆに合致しているか否かを問合せ、その問合せ結果に基づき、現在暗証番号が会員暗証番号に合致しているか否かを判定するものである。
【００９７】
制御部３２内の利用許可判定部５６は、現在暗証番号が会員暗証番号に合致している場合（ステップＳ１８肯定）、ステップＳ１６で開始した監視タイマの計時をクリアし（ステップＳ１９）、玉貸出機３の選択サービスに対する携帯電話機２の利用を許可し（ステップＳ２０）、サービス実行部５７を通じて選択サービスを実行すべく、図７に示すＭ１に移行する。  
【００９８】
また、操作検出部５３は、サービス選択操作を検出しなかった場合（ステップＳ１１否定）、図６に示す処理動作を終了する。
【００９９】
また、制御部３２は、携帯電話機２のかざし操作を検出しなかった場合（ステップＳ１２否定）、図６に示す処理動作を終了する。
【０１００】
会員ＩＤｍ判定部５４は、現在ＩＤｍに合致する会員ＩＤｍが会員管理ＤＢ１６内にない場合（ステップＳ１４否定）、タッチパネル部２４上に会員ＩＤｍエラーを表示し（ステップＳ２１）、図６に示す処理動作を終了する。その結果、遊技客は、エラー表示に基づき、携帯電話機２のＩＤｍエラーを認識することができる。
【０１０１】
また、制御部３２は、ステップＳ１１にて選択したサービスが暗証番号の照合が必要なサービスでない場合（ステップＳ１５否定）、玉貸出機３の選択サービスに対する携帯電話機２の利用を許可すべく、ステップＳ２０に移行する。
【０１０２】
また、暗証番号取得部５２は、暗証番号を検出しなかった場合（ステップＳ１７否定）、ステップＳ１６の計時動作を開始した監視タイマがタイムアップしたか否かを判定する（ステップＳ２２）。
【０１０３】
暗証番号取得部５２は、監視タイマがタイムアップした場合（ステップＳ２２肯定）、図６に示す処理動作を終了する。また、暗証番号取得部５２は、監視タイマがタイムアップしなかった場合（ステップＳ２２否定）、暗証番号を検出したか否かを監視すべく、ステップＳ１７に移行する。
【０１０４】
また、会員暗証番号判定部５５は、現在暗証番号が会員暗証番号に合致しなかった場合（ステップＳ１８否定）、タッチパネル部２４上に会員暗証番号エラーを表示し（ステップＳ２３）、図６に示す処理動作を終了する。その結果、遊技客は、エラー表示に基づき、暗証番号エラーを認識することができる。
【０１０５】
図７に示すＭ１においてサービス実行部５７は、選択操作に対応したサービスをサービス管理部３０から読み出し、読み出したサービスに関わるサービス動作を実行する（ステップＳ３１）。
【０１０６】
制御部３２内の継続サービス判定部５８は、実行サービスは継続サービスであるか否かを判定する（ステップＳ３２）。
【０１０７】
制御部３２内の記憶制御部５９は、実行サービスが継続サービスの場合（ステップＳ３２肯定）、現在ＩＤｍ及び継続サービスを直前状態情報として直前状態情報記憶部３１に記憶する（ステップＳ３３）。
【０１０８】
記憶制御部５９は、ステップＳ３１の実行サービスが玉貸出サービスであるか否かを判定する（ステップＳ３４）。
【０１０９】
記憶制御部５９は、実行サービスが玉貸出サービスでない場合（ステップＳ３４否定）、実行サービスが再プレイサービスと判断し（ステップＳ３５）、アウト検出判定部６２を通じてアウト検出中であるか否かを判定する（ステップＳ３６）。
【０１１０】
記憶制御部５９は、アウト検出中の場合（ステップＳ３６肯定）、貯玉残高判定部６１を通じて同会員の貯玉残高があるか否かを判定する（ステップＳ３７）。尚、貯玉残高判定部６１は、ＬＡＮ経由で管理装置４側に同会員の貯玉残高があるか否かを問合せ、その問合せ結果に基づき、貯玉残高があるか否かを判定するものである。
【０１１１】
記憶制御部５９は、同会員の貯玉残高がない場合（ステップＳ３７否定）、サービスを提供することができないため、直前状態情報記憶部３１に記憶中の直前状態情報の内容を消去し（ステップＳ３８）、図７に示す処理動作を終了する。
【０１１２】
記憶制御部５９は、実行サービスが玉貸出サービスの場合（ステップＳ３４肯定）、アウト検出判定部６２を通じてアウト検出中であるか否かを判定する（ステップＳ３９）。
【０１１３】
記憶制御部５９は、アウト検出判定部６２を通じてアウト検出中の場合（ステップＳ３９肯定）、玉貸残額判定部６０を通じて同会員のプリペイド残額が玉貸可能残額以上であるか否かを判定する（ステップＳ４０）。尚、玉貸残額判定部６０は、ＬＡＮ経由で管理装置４側に同会員のプリペイド残額が玉貸可能残額以上であるか否かを問合せ、その問合せ結果に基づき、プリペイド残額が玉貸可能残額以上であるか否かを判定するものである。
【０１１４】
直前ＩＤｍ判定部６３は、同会員のプリペイド残額が玉貸可能残額以上である場合（ステップＳ４０肯定）、携帯用リーダライタ部２５を通じて携帯電話機２のかざし操作を検出したか否かを判定する（ステップＳ４１）。
【０１１５】
直前ＩＤｍ判定部６３は、携帯電話機２のかざし操作を検出した場合（ステップＳ４１肯定）、ＩＤｍ取得部５１を通じて携帯電話機２の現在ＩＤｍを取得し（ステップＳ４２）、現在ＩＤｍが直前状態情報記憶部３１に記憶中の直前状態情報のＩＤｍに合致しているか否かを判定する（ステップＳ４３）。
【０１１６】
サービス実行部５７は、現在ＩＤｍが直前状態情報のＩＤｍに合致している場合（ステップＳ４３肯定）、正当な遊技客の操作と判断し、直前状態情報記憶部３１に記憶中の直前状態情報の実行サービスを継続し（ステップＳ４４）、この実行サービスに関わる動作を実行すべく、ステップＳ３１に移行する。
【０１１７】
また、直前ＩＤｍ判定部６３は、現在ＩＤｍが直前状態情報記憶部３１に記憶中の直前状態情報のＩＤｍに合致しなかった場合（ステップＳ４３否定）、不正操作と判断し、タッチパネル部２４上に会員ＩＤｍエラーを表示し（ステップＳ５２）、直前状態情報記憶部３１に記憶中の直前状態情報を消去すべく、ステップＳ３８に移行する。
【０１１８】
また、制御部３２は、携帯電話機２のかざし操作を検出しなかった場合（ステップＳ４１否定）、他のサービスの選択操作を検出したか否かを判定する（ステップＳ４５）。
【０１１９】
直前ＩＤｍ判定部６３は、他のサービスの選択操作を検出した場合（ステップＳ４５肯定）、監視タイマの計時動作を開始する（ステップＳ４６）。
【０１２０】
直前ＩＤｍ判定部６３は、監視タイマの計時動作を開始すると、携帯用リーダライタ部２５を通じて携帯電話機２のかざし操作を検出したか否かを判定する（ステップＳ４７）。
【０１２１】
直前ＩＤｍ判定部６３は、携帯電話機２のかざし操作を検出した場合（ステップＳ４７肯定）、携帯電話機２の現在ＩＤｍを取得すると（ステップＳ４８）、現在ＩＤｍが直前状態情報内のＩＤｍに合致しているか否かを判定する（ステップＳ４９）。
【０１２２】
直前ＩＤｍ判定部６３は、現在ＩＤｍが直前状態情報内のＩＤｍに合致している場合（ステップＳ４９肯定）、正当な遊技客の操作と判断し、ステップＳ４５にて選択した他のサービスをサービス管理部３０から読み出し（ステップＳ５０）、サービス実行部５７を通じて同サービスに関わる動作を実行すべく、ステップＳ３１に移行する。
【０１２３】
制御部３２は、携帯電話機２のかざし操作を検出しなかった場合（ステップＳ４７否定）、ステップＳ４６にて開始した監視タイマがタイムアップしたか否かを判定する（ステップＳ５１）。
【０１２４】
制御部３２は、監視タイマがタイムアップしなかった場合（ステップＳ５１否定）、携帯電話機２のかざし操作を監視すべく、ステップＳ４７に移行する。
【０１２５】
制御部３２は、監視タイマがタイムアップした場合（ステップＳ５１肯定）、直前状態情報記憶部３１に記憶中の直前状態情報を消去すべく、図中のＭ２、すなわちステップＳ３８に移行する。
【０１２６】
また、直前ＩＤｍ判定部６３は、現在ＩＤｍが直前状態情報記憶部３１に記憶中の直前状態情報のＩＤｍに合致しなかった場合（ステップＳ４９否定）、不正操作と判断し、タッチパネル部２４上に会員ＩＤｍエラーを表示すべく、図中のＭ３、すなわちステップＳ５２に移行する。
【０１２７】
記憶制御部５９は、他のサービスの選択操作を検出しなかった場合（ステップＳ４５否定）、アウト検出中であるか否かを判定すべく、ステップＳ３９に移行する。
【０１２８】
また、記憶制御部５９は、アウト検出判定部６２を通じてアウト検出中でない場合（ステップＳ３９否定）又は玉貸残額判定部６０を通じて会員のプリペイド残額が玉貸可能残額以上でない場合（ステップＳ４０否定）、直前状態情報記憶部３１に記憶中の直前状態情報を消去すべく、ステップＳ３８に移行する。
【０１２９】
また、記憶制御部５９は、アウト検出判定部６２を通じてアウト検出中でない場合（ステップＳ３６否定）、直前状態情報記憶部３１に記憶中の直前状態情報を消去すべく、ステップＳ３８に移行する。
【０１３０】
また、制御部３２は、貯玉残高判定部６１を通じて同会員の貯玉残高がある場合（ステップＳ３７肯定）、携帯電話機２のかざし操作を監視すべく、図中のＭ４、すなわちステップＳ４１に移行する。
【０１３１】
また、記憶制御部５９は、実行サービスが継続サービスでない場合（ステップＳ３２否定）、直前状態情報記憶部３１に記憶中の直前状態情報を消去すべく、ステップＳ３８に移行する。
【０１３２】
実施例１では、継続サービス操作検出後、携帯電話機２の利用を許可して、継続サービス操作に応じた継続サービスに関わる動作を実行すると、サービス実行時の携帯電話機２の現在ＩＤｍ及びサービス実行時の継続サービスを直前状態情報として直前状態情報記憶部３１に記憶しておき、その直前状態情報の記憶中に、携帯電話機２のかざし操作に応じて携帯電話機２の現在ＩＤｍを取得し、この現在ＩＤｍが直前状態情報内のＩＤｍと合致した場合、直前状態情報記憶部３１に記憶中の直前状態情報内の継続サービスに関わる動作を実行する。その結果、玉貸出機３では、最初の継続サービスを要求する際、サービス選択操作＋携帯電話機２のかざし操作＋暗証番号の入力操作の合計３種類の操作を要することになるが、継続して同一継続サービスを要求する際は、暗証番号入力操作及びサービス選択操作を要することなく、携帯電話機２のかざし操作だけで同一継続サービスを継続的に要求できるため、同一継続サービスを継続的に要求する際の遊技客側の操作負担を大幅に軽減できる。
【０１３３】
また、実施例１では、同一継続サービスを要求する度に、携帯電話機２のかざし操作で取得した現在ＩＤｍと直前状態情報記憶部３１に記憶中の直前のＩＤｍとが合致しているか否かを判定し、ＩＤｍが合致している場合にしか、同一継続サービスを実行しないため、携帯電話機２のＩＤｍで正当な遊技客を特定し、第三者による継続サービスの不正要求を確実に防止することで、セキュリティの確保を図ることができる。
【０１３４】
また、実施例１では、複数サービスの内、実行サービスが継続サービスの場合、サービス実行時の携帯電話機２の識別情報及びサービス実行時の継続サービスを直前状態情報として直前状態情報記憶部３１に記憶すると共に、実行サービスが継続サービスでない場合、直前状態情報記憶部３１に記憶中の直前状態情報を消去する。その結果、玉貸出機３では、同一の継続サービスを継続的に要求する場合、暗証番号入力操作及びサービス選択操作を要することなく、携帯電話機２のかざし操作だけで同一継続サービスを継続的に要求できるため、同一継続サービスを継続的に要求する際の遊技客側の操作負担を大幅に軽減できると共に、従来のような遊技客の操作負担増に伴う遊技台１１０の稼働率低下を抑制することができる。
【０１３５】
また、実施例１では、直前ＩＤｍ判定部６３にてＩＤｍが合致した場合、直前状態情報記憶部３１に記憶中の直前状態情報内の継続サービスに関わる動作を実行すると共に、直前ＩＤｍ判定部６３にてＩＤｍが合致しなかった場合、直前状態情報記憶部３１に記憶中の直前状態情報の継続サービスに関わる動作を禁止する。その結果、玉貸出機３は、携帯電話機２のＩＤｍで遊技客を特定し、第三者による継続サービスの不正要求を確実に防止することで、セキュリティの確保を図ることができる。
【０１３６】
また、実施例１では、直前状態情報として再プレイサービスを記憶中に、直前ＩＤｍ判定部６３にてＩＤｍが合致したとしても、現在貯玉残高がない場合、直前状態情報記憶部３１に記憶中の直前状態情報を消去する。その結果、玉貸出機３では、正当な遊技客による再プレイサービスの継続要求であったとしても、現在貯玉残高がない場合、継続できない再プレイサービスの継続実行を打ち切る。
【０１３７】
また、実施例１では、直前状態情報として貸出サービスを記憶中に、直前ＩＤｍ判定部６３にてＩＤｍが合致したとしても、現在玉貸残額がない場合、直前状態情報記憶部３１に記憶中の直前状態情報を消去する。その結果、玉貸出機３は、正当な遊技客による貸出サービスの継続要求であったとしても、現在玉貸残額がない場合、継続できない貸出サービスの継続実行を打ち切る。
【０１３８】
また、実施例１では、直前状態情報として貸出サービス又は再プレイサービスを記憶中に、アウト検出中でない場合、直前状態情報記憶部３１に記憶中の直前状態情報を消去する。その結果、玉貸出機３では、正当な遊技客による貸出サービス又は再プレイサービスの継続要求であったとしても、アウト検出中でない場合、遊技客が遊技中でないものと判断し、その継続実行を打ち切る。
【０１３９】
尚、上記実施例１では、一体型の玉貸出機３を例に挙げて説明したが、既存のＣＲユニットに、玉計数機能を内蔵した計数ユニットを増設したダブルサンド方式の玉貸出機においても適用可能であるため、この場合の実施例につき、実施例２として以下に説明する。
【実施例２】
【０１４０】
図８は、実施例２の玉貸出機の正面図である。尚、実施例１の遊技台管理システム１と同一の構成については同一符号を付すことで、その重複する構成及び動作の説明については省略する。
【０１４１】
図８に示す玉貸出機３Ａは、既存のＣＲユニット７０と、玉計数機能を内蔵した計数ユニット８０とのダブルサンド方式で構成し、ＣＲユニット７０は、紙幣を投入する紙幣投入口７１と、プリペイド残額を表示するプリペイド残額表示部７２と、テンキー７３Ａ（２２）及び再プレイボタン７３Ｂを備えた操作部７３と、会員カードやプリペイドカードを挿入又は排出するカード挿入口７４と、ＣＲユニット７０の動作状態を表示するＣＲ状態表示ランプ７５とを有している。
【０１４２】
また、ＣＲユニット７０は、併設する遊技台１１０の玉貸ボタンのボタン操作を検出すると、現在プリペイド残額に基づき遊技玉の貸出を実行することになる。
【０１４３】
また、計数ユニット８０は、会員カードや一般カード等の持玉カードを挿入する持玉カード挿入口８１と、携帯用リーダライタ部８２と、遊技台１１０で獲得玉を計数し、その計数結果を現在持玉数として表示する持玉計数表示部８３と、計数ユニット８０の動作状態を表示する計数ユニット側状態表示ランプ８４と、遊技台１１０で獲得した獲得玉を当日持玉として持玉ＤＢ１７Ｃに登録するための玉返却ボタン８５と、持玉挿入口８１から持玉カードの排出を指示するカード返却ボタン８６と、ノズルを備え、遊技台１１０の受皿１１１へ玉を投出する玉投出部８７とを有している。
【０１４４】
図９は、ＣＲユニット７０内部の概略構成を示すブロック図である。
【０１４５】
図９に示すＣＲユニット７０は、タッチパネル部２４に相当する操作部７３と、ＬＡＮとの通信を司る通信インタフェース２７Ａと、サービス管理部３０と、ＣＲユニット７０全体を制御するＣＲユニット側制御部３２Ａとを有している。
【０１４６】
ＣＲユニット側制御部３２Ａは、暗証番号取得部５２、操作検出部５３、会員暗証番号判定部５５、利用許可判定部５６及びサービス実行部５７を有している。
【０１４７】
図１０は、計数ユニット８０内部の概略構成を示すブロック図である。
【０１４８】
図１０に示す計数ユニット８０は、携帯用リーダライタ部８２に相当する携帯用リーダライタ部２５、カードリーダ部２８、カード返却部２９及び直前状態情報記憶部３１の他に、ＬＡＮとの通信を司る通信インタフェース２７Ｂと、計数ユニット８０全体を制御する計数ユニット側制御部３２Ｂとを有している。
【０１４９】
計数ユニット側制御部３２Ｂは、ＩＤｍ取得部５１、会員ＩＤｍ判定部５４、継続サービス判定部５８、記憶制御部５９、玉貸残額判定部６０、貯玉残高判定部６１、アウト検出判定部６２及び直前ＩＤｍ判定部６３を有している。
【０１５０】
計数ユニット８０内の計数ユニット側制御部３２Ｂは、通信インタフェース２７Ａを通じてＬＡＮ経由でＣＲユニット７０内のＣＲユニット側制御部３２Ｂとの通信動作を実現するものである。
【０１５１】
尚、請求項記載の第１ユニットはＣＲユニット７０、第２ユニットは計数ユニット８０に対応するものである。
【０１５２】
次に、実施例２の遊技台管理システムの動作について説明する。図１１は、実施例２のサービス選択実行処理に関わるＣＲユニット７０内部のＣＲユニット側制御部３２Ａ及び計数ユニット８０内部の計数ユニット側制御部３２Ｂの処理動作を示すフローチャートである。
【０１５３】
図１１においてＣＲユニット側制御部３２Ａ内の操作検出部５３は、タッチパネル部２４上の各種サービスの選択操作を検出したか否かを判定する（ステップＳ６１）。
【０１５４】
ＣＲユニット側制御部３２Ａは、サービスの選択操作を検出した場合（ステップＳ６１肯定）、その検出結果をＬＡＮ経由で計数ユニット側制御部３２Ｂに通知する。
【０１５５】
計数ユニット側制御部３２Ｂは、その検出結果を受信すると、携帯用リーダライタ部２５を通じて携帯電話機２のかざし操作を検出したか否かを判定する（ステップＳ６２）。
【０１５６】
計数ユニット側制御部３２Ｂ内のＩＤｍ取得部５１は、携帯電話機２のかざし操作を検出した場合（ステップＳ６２肯定）、携帯用リーダライタ部２５を通じて携帯電話機２内のＩＣチップ２Ａに対する現在ＩＤｍを取得する（ステップＳ６３）。
【０１５７】
計数ユニット側制御部３２Ｂ内の会員ＩＤｍ判定部５４は、現在ＩＤｍを取得すると、現在ＩＤｍに対応する会員ＩＤｍがあるか否かを判定する（ステップＳ６４）。更に、計数ユニット側制御部３２Ｂは、その判定結果をＬＡＮ経由でＣＲユニット側制御部３２Ａに通知する。
【０１５８】
ＣＲユニット側制御部３２Ａは、現在ＩＤｍに対応する会員ＩＤｍがある（ステップＳ６４肯定）との判定結果を受信すると、ステップＳ６１にて検出した選択サービスが暗証番号の照合が必要なサービスであるか否かを判定する（ステップＳ６５）。
【０１５９】
ＣＲユニット側制御部３２Ａ内の暗証番号取得部５２は、選択サービスが暗証番号の照合が必要なサービスの場合（ステップＳ６５肯定）、テンキー部２２の暗証番号入力を監視する監視タイマの計時動作を開始し（ステップＳ６６）、暗証番号を検出したか否かを判定する（ステップＳ６７）。
【０１６０】
ＣＲユニット側制御部３２Ａ内の会員暗証番号判定部５５は、暗証番号を検出した場合（ステップＳ６７肯定）、この暗証番号が現在ＩＤｍの会員ＩＤｍに対応する会員暗証番号に合致しているか否かを判定する（ステップＳ６８）。
【０１６１】
ＣＲユニット側制御部３２Ａ内の利用許可判定部５６は、現在暗証番号が会員暗証番号に合致している場合（ステップＳ６８肯定）、ステップＳ６６で開始した監視タイマの計時をクリアし（ステップＳ６９）、玉貸出機３の選択サービスに対する携帯電話機２の利用を許可し（ステップＳ７０）、サービス実行部５７を通じて選択サービスを実行すべく、図１２に示すＭ５に移行する。
【０１６２】
また、ＣＲユニット側制御部３２Ａ内の操作検出部５３は、サービス選択操作を検出しなかった場合（ステップＳ６１否定）、図１１に示す処理動作を終了する。
【０１６３】
また、計数ユニット側制御部３２Ｂは、携帯電話機２のかざし操作を検出しなかった場合（ステップＳ６２否定）、図１１に示す処理動作を終了する。
【０１６４】
計数ユニット側制御部３２Ｂ内の会員ＩＤｍ判定部５４は、現在ＩＤｍに合致する会員ＩＤｍが会員管理ＤＢ１６内にない場合（ステップＳ６４否定）、ＣＲユニット７０側のタッチパネル部２４上に会員ＩＤｍエラーを表示し（ステップＳ７１）、図１１に示す処理動作を終了する。その結果、遊技客は、ＣＲユニット７０側のタッチパネル部２４上のエラー表示に基づき、携帯電話機２のＩＤｍエラーを認識することができる。
【０１６５】
また、ＣＲユニット側制御部３２Ａは、ステップＳ６１にて選択したサービスが暗証番号の照合が必要なサービスでない場合（ステップＳ６５否定）、玉貸出機３の選択サービスに対する携帯電話機２の利用を許可すべく、ステップＳ７０に移行する。
【０１６６】
また、ＣＲユニット側制御部３２Ａは、暗証番号を検出しなかった場合（ステップＳ６７否定）、ステップＳ６６の計時動作を開始した監視タイマがタイムアップしたか否かを判定する（ステップＳ７２）。
【０１６７】
ＣＲユニット側制御部３２Ａは、監視タイマがタイムアップした場合（ステップＳ７２肯定）、図１１に示す処理動作を終了する。また、ＣＲユニット側制御部３２Ａは、監視タイマがタイムアップしなかった場合（ステップＳ７２否定）、暗証番号を検出したか否かを監視すべく、ステップＳ６７に移行する。
【０１６８】
また、ＣＲユニット側制御部３２Ａ内の会員暗証番号判定部５５は、現在暗証番号が会員暗証番号に合致しなかった場合（ステップＳ６８否定）、タッチパネル部２４上に会員暗証番号エラーを表示し（ステップＳ７３）、図１１に示す処理動作を終了する。その結果、遊技客は、ＣＲユニット７０のタッチパネル部２４上のエラー表示に基づき、暗証番号エラーを認識することができる。
【０１６９】
図１２に示すＭ５においてＣＲユニット側制御部３２Ａ内のサービス実行部５７は、選択操作に対応したサービスをサービス管理部３０から読み出し、読み出したサービスに関わるサービス動作を実行する（ステップＳ８１）。
【０１７０】
計数ユニット側制御部３２Ｂ内の継続サービス判定部５８は、実行サービスは継続サービスであるか否かを判定する（ステップＳ８２）。
【０１７１】
計数ユニット側制御部３２Ｂ内の記憶制御部５９は、実行サービスが継続サービスの場合（ステップＳ８２肯定）、現在ＩＤｍ及び継続サービスを直前状態情報として直前状態情報記憶部３１に記憶する（ステップＳ８３）。
【０１７２】
記憶制御部５９は、ステップＳ８１の実行サービスが玉貸出サービスであるか否かを判定する（ステップＳ８４）。
【０１７３】
記憶制御部５９は、実行サービスが玉貸出サービスでない場合（ステップＳ８４否定）、実行サービスが再プレイサービスと判断し（ステップＳ８５）、アウト検出判定部６２を通じてアウト検出中であるか否かを判定する（ステップＳ８６）。
【０１７４】
記憶制御部５９は、アウト検出中の場合（ステップＳ８６肯定）、貯玉残高判定部６１を通じて同会員の貯玉残高があるか否かを判定する（ステップＳ８７）。
【０１７５】
記憶制御部５９は、同会員の貯玉残高がない場合（ステップＳ８７否定）、サービスを提供することができないため、直前状態情報記憶部３１に記憶中の直前状態情報の内容を消去し（ステップＳ８８）、図１２に示す処理動作を終了する。
【０１７６】
記憶制御部５９は、実行サービスが玉貸出サービスの場合（ステップＳ８４肯定）、アウト検出判定部６２を通じてアウト検出中であるか否かを判定する（ステップＳ８９）。
【０１７７】
記憶制御部５９は、アウト検出判定部６２を通じてアウト検出中の場合（ステップＳ８９肯定）、玉貸残額判定部６０を通じて同会員のプリペイド残額が玉貸可能残額以上であるか否かを判定する（ステップＳ９０）。
【０１７８】
計数ユニット側制御部３２Ｂ内の直前ＩＤｍ判定部６３は、同会員のプリペイド残額が玉貸可能残額以上である場合（ステップＳ９０肯定）、携帯用リーダライタ部２５を通じて携帯電話機２のかざし操作を検出したか否かを判定する（ステップＳ９１）。
【０１７９】
直前ＩＤｍ判定部６３は、携帯電話機２のかざし操作を検出した場合（ステップＳ９１肯定）、ＩＤｍ取得部５１を通じて携帯電話機２の現在ＩＤｍを取得し（ステップＳ９２）、現在ＩＤｍが直前状態情報記憶部３１に記憶中の直前状態情報のＩＤｍに合致しているか否かを判定する（ステップＳ９３）。計数ユニット側制御部３２Ｂ内の直前ＩＤｍ判定部６３は、その判定結果をＬＡＮ経由でＣＲユニット側制御部３２Ａに通知する。
【０１８０】
ＣＲユニット側制御部３２Ａ内のサービス実行部５７は、現在ＩＤｍが直前状態情報のＩＤｍに合致している（ステップＳ９３肯定）との判定結果を受信すると、正当な遊技客の操作と判断し、直前状態情報記憶部３１に記憶中の直前状態情報の実行サービスを継続し（ステップＳ９４）、この実行サービスに関わる動作を実行すべく、ステップＳ８１に移行する。
【０１８１】
また、ＣＲユニット側制御部３２Ａは、現在ＩＤｍが直前状態情報記憶部３１に記憶中の直前状態情報のＩＤｍに合致しなかった（ステップＳ９３否定）との判定結果を受信すると、不正操作と判断し、ＣＲユニット７０のタッチパネル部２４上に会員ＩＤｍエラーを表示し（ステップＳ１０２）、直前状態情報記憶部３１に記憶中の直前状態情報を消去すべく、ステップＳ８８に移行する。
【０１８２】
また、ＣＲユニット側制御部３２Ａは、計数ユニット側制御部３２Ｂから携帯電話機２のかざし操作を検出しなかった（ステップＳ９１否定）との判定結果を受信すると、他のサービスの選択操作を検出したか否かを判定する（ステップＳ９５）。
【０１８３】
ＣＲユニット側制御部３２Ａは、他のサービスの選択操作を検出した場合（ステップＳ９５肯定）、監視タイマの計時動作を開始する（ステップＳ９６）。
【０１８４】
計数ユニット側制御部３２Ｂ内の直前ＩＤｍ判定部６３は、監視タイマの計時動作を開始すると、携帯用リーダライタ部２５を通じて携帯電話機２のかざし操作を検出したか否かを判定する（ステップＳ９７）。
【０１８５】
直前ＩＤｍ判定部６３は、携帯電話機２のかざし操作を検出した場合（ステップＳ９７肯定）、携帯電話機２の現在ＩＤｍを取得すると（ステップＳ９８）、現在ＩＤｍが直前状態情報内のＩＤｍに合致しているか否かを判定する（ステップＳ９９）。計数ユニット側制御部３２Ｂ内の直前ＩＤｍ判定部６３は、その判定結果をＬＡＮ経由でＣＲユニット側制御部３２Ａに通知する。
【０１８６】
ＣＲユニット側制御部３２Ａ内のサービス実行部５７は、現在ＩＤｍが直前状態情報内のＩＤｍに合致している（ステップＳ９９肯定）との判定結果を受信すると、正当な遊技客の操作と判断し、ステップＳ９５にて選択した他のサービスをサービス管理部３０から読み出し（ステップＳ１００）、同サービスに関わる動作を実行すべく、ステップＳ８１に移行する。
【０１８７】
計数ユニット側制御部３２Ｂは、携帯電話機２のかざし操作を検出しなかった場合（ステップＳ９７否定）、ステップＳ９６にて開始した監視タイマがタイムアップしたか否かを判定する（ステップＳ１０１）。
【０１８８】
計数ユニット側制御部３２Ｂは、監視タイマがタイムアップしなかった場合（ステップＳ１０１否定）、携帯電話機２のかざし操作を監視すべく、ステップＳ９７に移行する。
【０１８９】
計数ユニット側制御部３２Ｂ内の記憶制御部５９は、監視タイマがタイムアップした場合（ステップＳ１０１肯定）、直前状態情報記憶部３１に記憶中の直前状態情報を消去すべく、図中のＭ６、すなわちステップＳ８８に移行する。
【０１９０】
また、ＣＲユニット側制御部３２Ａは、現在ＩＤｍが直前状態情報記憶部３１に記憶中の直前状態情報のＩＤｍに合致しなかった（ステップＳ９９否定）との判定結果を受信すると、不正操作と判断し、タッチパネル部２４上に会員ＩＤｍエラーを表示すべく、図中のＭ７、すなわちステップＳ１０２に移行する。
【０１９１】
計数ユニット側制御部３２Ｂ内のアウト検出判定部６２は、他のサービスの選択操作を検出しなかった場合（ステップＳ９５否定）、アウト検出中であるか否かを判定すべく、ステップＳ８９に移行する。
【０１９２】
また、計数ユニット側制御部３２Ｂ内の記憶制御部５９は、アウト検出判定部６２を通じてアウト検出中でない場合（ステップＳ８９否定）又は玉貸残額判定部６０を通じて会員のプリペイド残額が玉貸可能残額以上でない場合（ステップＳ９０否定）、直前状態情報記憶部３１に記憶中の直前状態情報を消去すべく、ステップＳ８８に移行する。
【０１９３】
また、記憶制御部５９は、アウト検出判定部６２を通じてアウト検出中でない場合（ステップＳ８６否定）、直前状態情報記憶部３１に記憶中の直前状態情報を消去すべく、ステップＳ８８に移行する。
【０１９４】
また、計数ユニット側制御部３２Ｂは、貯玉残高判定部６１を通じて同会員の貯玉残高がある場合（ステップＳ８７肯定）、携帯電話機２のかざし操作を監視すべく、図中のＭ８、すなわちステップＳ９１に移行する。
【０１９５】
また、記憶制御部５９は、実行サービスが継続サービスでない場合（ステップＳ８２否定）、直前状態情報記憶部３１に記憶中の直前状態情報を消去すべく、ステップＳ８８に移行する。
【０１９６】
実施例２では、最初の継続サービスを要求する際、サービス選択操作＋携帯電話機２のかざし操作＋暗証番号の入力操作の合計３種類の操作を要するものの、継続して同一継続サービスを要求する際は、暗証番号入力操作及びサービス選択操作を要することなく、携帯電話機２のかざし操作だけで同一継続サービスを継続的に要求できるため、ダブルサンド方式の玉貸出機３Ａを採用したとしても、同一継続サービスを継続的に要求する際の遊技客側の操作負担を大幅に軽減できる。
【０１９７】
また、実施例２では、携帯電話機２のＩＤｍで遊技客を特定し、第三者による継続サービスの不正要求を確実に防止することで、ダブルサンド方式の玉貸出機３Ａを採用したとしても、セキュリティの確保を図ることができる。
【０１９８】
また、実施例２では、同一の継続サービスを継続的に要求する場合、暗証番号入力操作及びサービス選択操作を要することなく、携帯電話機２のかざし操作だけで同一継続サービスを継続的に要求できるため、ダブルサンド方式の玉貸出機３Ａを採用したとしても、同一継続サービスを継続的に要求する際の遊技客側の操作負担を大幅に軽減できると共に、従来のような遊技客の操作負担増に伴う遊技台１１０の稼働率低下を抑制することができる。
【０１９９】
また、実施例２では、既存のＣＲユニット７０に新規の計数ユニット８０を増設したダブルサンド方式の玉貸出機３Ａを採用しているため、図１１及び図１２に示すサービス選択実行処理をＣＲユニット側制御部３２Ａ及び計数ユニット側制御部３２Ｂで分担することになるため、その制御部の処理負担を大幅に軽減することができる。
【０２００】
尚、本実施例では、遊技媒体として、パチンコ遊技台で使用する遊技玉を例に挙げて説明したが、遊技玉に限定されるものではなく、例えば、パチスロ遊技台で使用する遊技メダルであっても、同様の効果が得られることは言うまでもない。
【０２０１】
また、本実施例では、直前状態情報として直前状態情報記憶部３１に継続サービスを記憶中に、サービス実行後、所定時間経過した場合、直前状態情報記憶部３１に記憶中の直前状態情報を消去するようにしても良く。この場合、玉貸出機３（３Ａ）では、継続サービスを継続中でも、継続サービスを使用しないと考え得る所定時間を経過した場合、その継続実行を打ち切る。
【０２０２】
また、本実施例では、継続して同一継続サービスを要求する際、暗証番号入力操作及びサービス選択操作を要することなく、携帯電話機２のかざし操作だけで同一継続サービスを継続的に要求できるようにしたが、携帯電話機２の利用許可を受けた場合、携帯電話機２のかざし操作ではなく、操作ボタン２３のサービス選択操作に応じて継続サービスに関わる動作を継続的に要求できるようにしても良い。
【０２０３】
また、本実施例では、特定サービスを享受不可の携帯電話機２の利用を許可して、特定サービスを要求する操作を検出したとしても、特定サービスの要求操作を無効にするようにしても良く。この場合、遊技客は、特定サービスを享受不可の携帯電話機２、例えば、ウェブ機能を具備せぬ携帯電話機２を使用した場合、特定サービス、例えば、ウェブ機能を利用した情報提供サービスを要求するサービス要求操作を無効にすることで無駄な操作を回避できるという効果を奏する。この場合、タッチパネル部２４上の特定サービスに対応する操作ボタン２３を表示画面上から消去し、享受可能なサービスに関わる操作ボタン２３のみを画面表示することで、より一層の効果が得られることは言うまでもない。
【０２０４】
また、本実施例では、携帯媒体として遊技客保有の携帯電話機２を例に挙げて説明したが、携帯電話機２に限定されるものではなく、個別識別情報を内蔵した汎用的に使用される定期券等のＩＣカードを使用したとしても、同様の効果が得られることは言うまでもない。
【０２０５】
また、本実施例では、初回のサービス要求時に、サービス選択操作、携帯電話機２のかざし操作、暗証番号入力操作の順にサービスを要求するようにしたが、例えば、携帯電話機２のかざし操作、暗証番号入力操作及びサービス選択操作の順にサービスを要求するようにしても、同様の効果が得られることは言うまでもない。
【０２０６】
また、本実施例では、初回のサービス要求時に、サービス選択操作、携帯電話機２のかざし操作及び暗証番号入力操作の順にサービスを要求するようにしたが、会員カードがある場合、会員カードをカード挿入口２１に挿入した後、サービス選択操作、暗証番号入力操作及び携帯電話機２のかざし操作の順にサービスを要求することで、会員カードの会員ＩＤ１６Ａの照合、暗証番号の会員暗証番号１６Ｆの照合、携帯電話機２の会員ＩＤｍの照合を順次実行し、これら照合結果に基づきサービスを実行するようにしても良く、この場合でも、実行サービスが継続サービスの場合、携帯電話機２のかざし操作で同一継続サービスを継続的に実行するようにしても、同様の効果が得られることは言うまでもない。
【０２０７】
また、実施例１では、玉貸出機３内部の制御部３２、実施例２では、ＣＲユニット側制御部３２Ａ及び計数ユニット側制御部３２Ｂで、例えば、会員ＩＤｍ判定部５４、利用許可判定部５６、サービス実行部５７、記憶制御部５９、直前ＩＤｍ判定部６３、継続サービス判定部５８等の処理を負担するようにしたが、これらの処理を玉貸出機３（３Ａ）以外の島コントローラ１２０や管理装置４等の各種装置で負担するようにしても、同様の効果が得られることは言うまでもない。
【０２０８】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０２０９】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０２１０】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０２１１】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０２１２】
本発明の遊技媒体貸出装置では、最初の継続サービスを要求する際、サービス選択操作＋携帯媒体のかざし操作の合計２種類の操作を要することになるが、継続して同一継続サービスを要求する際は、サービス選択操作を要することなく、携帯媒体のかざし操作だけで同一継続サービスを継続的に要求できるため、同一継続サービスを継続的に要求する際の遊技客側の操作負担を大幅に軽減できるため、例えば、遊技台に併設した玉貸出機に有用である。
【図面の簡単な説明】
【０２１３】
【図１】本発明の遊技媒体貸出装置に関わる実施例１の遊技台管理システム全体の概略構成を示すブロック図である。
【図２】管理装置内部の概略構成を示すブロック図である。
【図３】管理装置内部の会員管理ＤＢのデータ内容を端的に示す説明図である。
【図４】実施例１の要部である玉貸出機の正面図である。
【図５】実施例１の玉貸出機内部の概略構成を示すブロック図である。
【図６】実施例１のサービス選択実行処理に関わる玉貸出機内の制御部の処理動作を示すフローチャートである。
【図７】実施例１のサービス選択実行処理に関わる玉貸出機内の制御部の処理動作を示すフローチャートである。
【図８】実施例２の要部である玉貸出機の正面図である。
【図９】ＣＲユニット内部の概略構成を示すブロック図である。
【図１０】計数ユニット内部の概略構成を示すブロック図である。
【図１１】実施例２のサービス選択処理に関わる玉貸出機内のＣＲユニット側制御部及び計数ユニット側制御部の処理動作を示すフローチャートである。
【図１２】実施例２のサービス選択処理に関わる玉貸出機内のＣＲユニット側制御部及び計数ユニット側制御部の処理動作を示すフローチャートである。
【符号の説明】
【０２１４】
２  携帯電話機
３  玉貸出機
３Ａ  玉貸出機
２５  携帯用リーダライタ部
３０  サービス管理部
３１  直前状態情報記憶部
３２  制御部
３２Ａ  ＣＲユニット側制御部
３２Ｂ  計数ユニット側制御部
５１  ＩＤｍ取得部
５４  会員ＩＤｍ判定部
５６  利用許可判定部
５７  サービス実行部
５８  継続サービス判定部
５９  記憶制御部
６３  直前ＩＤｍ判定部
７０  ＣＲユニット
８０  計数ユニット
【図１】
2010207538.tif 000003
【図２】
2010207538.tif 000004
【図３】
2010207538.tif 000005
【図４】
2010207538.tif 000006
【図５】
2010207538.tif 000007
【図６】
2010207538.tif 000008
【図７】
2010207538.tif 000009
【図８】
2010207538.tif 000010
【図９】
2010207538.tif 000011
【図１０】
2010207538.tif 000012
【図１１】
2010207538.tif 000013
【図１２】
2010207538.tif 000014